(57)【特許請求の範囲】
【請求項１】
命令入力装置と表示装置と固定記憶装置とを少なくとも備えたコンピュータ装置と、
上記コンピュータ装置に命令データと画像データとが混在可能な所定のバス手段を介して接続された画像読取装置と、
上記バス手段に共通接続された外部記憶装置と
を含む画像読取りシステムに於いて、
上記画像読取装置は、インデックススキャンを行い、取込まれたインデックス画像を、上記コンピュータへ転送し、
上記コンピュータは、このインデックス画像を上記画像表示装置のインデックス画像ウインドウ上へパラメータウインドウと共に表示し、ユーザがこのパラメータウインドウを参照し上記命令入力装置で設定したパラメータ情報を上記画像読取装置へ転送し、
上記画像読取装置は、このパラメータ情報の画像読取り条件で本スキャンを行い画像を取込み上記外部記憶装置へ格納する
ことを特徴とする画像読取りシステム。
【請求項２】
上記パラメータ情報として、取り込みセーブを行うかの選択、ファイル名、解像度、積分時間の補正の何れかを設定できることを特徴とする請求項１項に記載の画像読取りシステム。
【発明の詳細な説明】
【０００１】
【発明の属する技術分野】
この発明は画像読取りシステムに関し、より詳細には、制御信号と画像信号とを混在させて伝送するバス上にシリアル接続するスキャナシステムに関するものである。
【０００２】
【従来の技術】
近年、制御信号と情報信号とを混在させて制御する伝送方式が提案されている。例えば、次世代バスシステムとして注目されているＩＥＥＥ１３９４規格のバス等は、パーソナルコンピュータ（ＰＣ）やオーディオビジュアル（ＡＶ）装置、或いはパーソナルコンピュータ周辺装置を、同一のバスで接続することを可能にしている。このＩＥＥＥ１３９４バスを使用することにより、パーソナルコンピュータ本体以外の装置間でデータを扱うことができ、パーソナルコンピュータ本体にかかる負荷を低減することができる。
また、特開平０９−１５４０７７号公報では、複数の装置間での信号の流れを表示するシステムが提案されている。
【０００３】
【発明が解決しようとする課題】
しかしながら、高画質の静止画のように、大容量のデータをパーソナルコンピュータ以外の装置間で扱う場合は、上述した特開平０９−１５４０７７号公報に開示されているようなシステムの流れを示すだけでは、現在取り込まれている画像がどうのような画像であるかを確認することができない。
【０００４】
したがってこの発明の目的は、画像の取り込み時にパーソナルコンピュータの負荷を低減し、且つ取り込まれた画像が使用者が確認可能な画像読取りシステムを提供することである。
【０００５】
【課題を解決するための手段】
すなわちこの発明は、命令入力装置と表示装置と固定記憶装置とを少なくとも備えたコンピュータ装置と、上記コンピュータ装置に命令データと画像データとが混在可能な所定のバス手段を介して接続された画像読取装置と、上記バス手段に共通接続された外部記憶装置とを含む画像読取りシステムに於いて、上記画像読取装置は、インデックススキャンを行い、取込まれたインデックス画像を、上記コンピュータへ転送し、上記コンピュータは、このインデックス画像を上記画像表示装置のインデックス画像ウインドウ上へパラメータウインドウと共に表示し、ユーザがこのパラメータウインドウを参照し上記命令入力装置で設定したパラメータ情報を上記画像読取装置へ転送し、上記画像読取装置は、このパラメータ情報の画像読取り条件で本スキャンを行い画像を取込み上記外部記憶装置へ格納することを特徴とする。
【０００７】
この発明の画像読取りシステムにあっては、少なくとも命令入力装置と表示装置と固定記憶装置とを備えたコンピュータ装置に、命令データと画像データとが混在可能な所定のバス手段を介して画像読取装置が接続されており、上記バス手段には外部記憶装置が共通接続されている。そして、上記画像読取装置は、インデックススキャンを行い、取込まれたインデックス画像を上記コンピュータへ転送する。上記コンピュータは、このインデックス画像を上記画像表示装置のインデックス画像ウインドウ上へパラメータウインドウと共に表示し、ユーザがこのパラメータウインドウを参照し上記命令入力装置で設定したパラメータ情報を上記画像読取装置へ転送する。上記画像読取装置は、このパラメータ情報の画像読取り条件で本スキャンを行い画像を取込み上記外部記憶装置へ格納する。
【０００９】
【発明の実施の形態】
以下、図面を参照してこの発明の実施の形態を説明する。
図１は、この発明の画像読取りシステムの第１の実施の形態の構成を示すブロック図である。
【００１０】
図１に於いて、パーソナルコンピュータ（ＰＣ）１１には、該パーソナルコンピュータ１１の状態を表示するモニタ１２と、パーソナルコンピュータ１１を制御するキーボード及びマウス（ポインティングデバイス）１３が、ケーブル等により接続されている。また、パーソナルコンピュータ１１には、周辺装置であるハードディスク装置（ＨＤＤ）１４と、大容量リムーバブルディスク装置（ここではＤＶＤ（デジタルビデオディスク）−ＲＡＭ）１５と、ＩＸ２４０対応のフイルム画像を取り込むスキャナ（フィルムスキャナ）１６が、ＩＥＥＥ１３９４規格のバスによって接続されている。
【００１１】
このような構成に於いて、パーソナルコンピュータ１１は、キーボード及びマウス１３にて、ユーザ等が設定した制御条件と制御信号のみをスキャナ１６に送る。このスキャナ１６は、パーソナルコンピュータ１１から送られた情報に応じてスキャナ自体を制御すると同時に、取り込んだ画像を設定された周辺装置（ここではＨＤＤまたはＤＶＤ−ＲＡＭ）へ自動的にファイル名を設定して格納し、画像サイズが取り込んだ画像よりも小さな画像（インデックス画像）をパーソナルコンピュータ１１へ送る。そして、パーソナルコンピュータ１１は、インデックス画像が送られた時点でその画像をモニタ１２に表示する。
【００１２】
尚、インデックス画像とは、上述したＩＸ２４０対応のフィルムのインデックスプリントに対応するもので、スキャナ１６に装填されるべくフィルムの全駒の画像をモニタ１２のディスプレイ上に小さく並べた画像である。
【００１３】
図２は、モニタ１２のディスプレイに表示された情報の表示例を示した図である。
プログラムが開始されると、モニタ１２のディスプレイ２０上に、条件を設定する設定ウィンドウ２１とインデックス画像を表示するインデックス画像表示ウィンドウ２２が立ち上がる。
【００１４】
インデックス画像表示ウィンドウ２２には、全ての画像が取り込まれていないので全てのインデックス画像２３は表示されない。これらのインデックス画像は、取り込まれる毎に表示の枠が増えるようになっており、不用意な枠が表示されないようになっている。尚、２４はインデックス画像２３に対応したファイル名である。
【００１５】
上記設定ウィンドウ２１には、スキャナ１６が取り込んだ画像の格納先が表示されるようになっている。ここでは、パーソナルコンピュータ１１とは独立して画像を取り込むことがわかり易いように、ＨＤＤ１４またはＤＶＤ−ＲＡＭ１５のみが選択できるようになっている。画像の送り先は、パーソナルコンピュータ１１でもその他周辺機器、例えばプリンタ等でも当然よい。
【００１６】
このように、本実施の形態では、パーソナルコンピュータとスキャナや記憶装置等の周辺機器がＩＥＥＥ１３９４規格の双方向バスにてシリアルに１本のケーブルで接続されており、パーソナルコンピュータからスキャナに制御コマンドが送られる。スキャナは制御コマンドを受け取った時点で、独立にスキャナを制御して、自動的にファイル名を付けて指定された装置にデータ格納を行うと同時に、画像が取り込まれる度にパーソナルコンピュータに対して取り込まれた画像、ファイル情報を送り返す。パーソナルコンピュータは、常時周辺装置をモニタするわけではないの、パーソナルコンピュータ自体の処理をモニタしている場合に比べてはるかに速やかに行うことができる。
【００１７】
次に、図３のフローチャートを参照して、第１の実施の形態のパーソナルコンピュータ及びスキャナの動作について説明する。
パーソナルコンピュータ１１にて画像の取り込みが開始されると、先ずステップＳ１１にて、取り込み情報の設定がモニタ１２とキーボード１３によってユーザにより行われる。次いで、ステップＳ１２で、スタート操作にてスキャナ１６ヘ条件情報と制御コマンドが送信される。そして、ステップＳ１３にて、スキャナ１６からの信号が割込みで受信可能状態にされる。
【００１８】
以後は、スキャナ１６からの送信信号が入った場合のみ、スキャナ関連の動作が行われる。
例えば、エラー信号が受信された場合は、ステップＳ１４に移行して、スキャナ１６側でのエラーコードの表示がモニタ１２により行われ、その後ステップＳ１６へ移行する。また、スキャナ１６側からインデックス画像が送られた場合は、ステップＳ１５に移行してインデックス画像が追加表示される。更に、終了コードが受信された場合は、ステップＳ１６に移行して終了表示が行われて、処理が終了する。
【００１９】
また、終了表示が終了された後に画像の取り込みが指定された場合は、スキャナ１６が自動的に格納された格納先からファイルが読込まれる。したがって、再度スキャンがなされることはなく、短時間に欲しい画像が読込まれて表示される。
【００２０】
スキャナ１６側では、スキャナコマンドが受信されると、ステップＳ２１にてイニシャライズされてシーケンスが開始される。次いで、ステップＳ２２では、ＩＸ２４０タイプのフィルムの有無が判定される。ここで、上記フィルムが無いと判定された場合は、ステップＳ２３に移行してエラー信号がパーソナルコンピュータ１１側に送信されて、上述したステップＳ１４でのエラー表示がなされる。
【００２１】
一方、上記ステップＳ２２に於いてフィルムが有ると判定された場合は、続くステップＳ２４にて送り先に関する情報に基いて読取られた画像データの格納先が、ＨＤＤ１４またはＤＶＤ−ＲＡＭ１５の何れであるかが判定される。ここで、格納先がＨＤＤ１４であった場合はステップＳ２５へ、ＤＶＤ−ＲＡＭ１５であった場合にはステップＳ２６へ移行して、それぞれに設定される。
【００２２】
こうして画像データの格納先が設定されたならば、ステップＳ２７にて画像の取り込みが行われる。そして、ステップＳ２８に於いて、読取られた画像から様子がわかる程度の小型の画像、すなわちインデックス画像が作成されてパーソナルコンピュータ１１に送信される。このステップＳ２８でインデックス画像が送信されると、パーソナルコンピュータ１１は、上述したようにインデックス画像を追加表示していく。
【００２３】
ステップＳ２９では、読取られた画像が自動的に付加されたファイル名と共に送り先の媒体に送信されて格納される。その後、ステップＳ３０に於いて、全駒取り込み終了か否かの判定が行われる。
【００２４】
このステップＳ３０にて、まだ全ての駒が終了していない場合は、ステップＳ３１に移行してフィルムが１駒送られた後、上記ステップＳ２７へ戻る。一方、上記ステップＳ３０で全ての駒が終了したと判定された場合は、ステップＳ３２に移行してフィルムが巻戻された後、ステップＳ３３で終了コマンドがパーソナルコンピュータ１１に送信されて、本シーケンスを終了する。
【００２５】
このように、第１の実施の形態に於いては、双方向のシリアルバス、例えばＩＥＥＥ１３９４規格のようなバスを活用し、スキャナはパーソナルコンピュータに依存しない形成式で独立制御され、読取られた画像は自動的に指定された媒体に格納されると同時に、インデックス画像がパーソナルコンピュータに送られてモニタ上に表示されることで、パーソナルコンピュータに負担をかけることなく、且つ取り込まれた画像を容易に確認することができる。
【００２６】
尚、上述した実施の形態に於いては、フィルムスキャナで画像を取り込んでいるが、フラットヘッドタイプのスキャナやペーパーポートスキャナでも当然よい。また、スキャナは２次元のセンサを用いたものでも、１次元のラインセンサを用いたものでもよい。
【００２７】
記憶装置としてはＤＶＤ−ＲＡＭ以外で、光磁気（ＭＯ）ディスク装置、相変化（ＰＤ）ディスク装置、またはＣＤ−Ｒ（書込可能なＣＤ）等の大容量の記憶媒体であればよい。また、記憶装置以外、例えばプリンタに直接出力または制御しているパーソナルコンピュータとは別のパーソナルコンピュータヘデータを送るような場合でも当然よい。
【００２８】
画像の保存はフォトＣＤ、ＦｌａｓｈＰｉｘ等の複数の画像サイズを保存するフォーマットを用いると更によい。また、１つの画像で保存しておき、表示時の形態に合わせて（例えばサムネイル表示等）画像処理して出力するようにしてもよい。
【００２９】
更に、ファイル名は半自動的に設定できるようにしてもよい。例えば、ディレクトリはユーザが指定できるようにしてもよい。同時に設定できる条件はこれに限ることなく、トリミング、解像度、積分時間等を前もって設定できるようにしてもよい。
【００３０】
次に、図４及び図５を参照して、この発明の第２の実施の形態を説明する。尚、画像読取りシステムの構成は、上述した第１の実施の形態と同じであるので説明は省略する。
【００３１】
この第２の実施の形態は、格納先を１つにして、条件の設定方式に関して特に説明する。個別に条件を設定するために、予め全駒に対してインデックススキャンを行い、その画像を見ながら各種の条件を駒毎に設定するようになっている。
【００３２】
図４（ａ）は、第２の実施の形態によるインデックス画像表示ウィンドウの表示例を示した図である。
プログラムが開始されると同時に、スキャナ１６にてインデックス画像２３′が全駒取り込まれてインデックス画像表示ウィンドウ２２′に表示される。インデックス画像２３′の下部にはパラメータウィンドウ２５が設けられており、パラメータ設定釦２７、ファイル名表示部２８及びセーブ終了マーク２９から構成される。
【００３３】
ここで、パラメータウィンドウ２５内のパラメータ設定釦２７が選択されると、図４（ｂ）に示されるパラメータサブウィンドウ３０が表示される。
このパラメータサブウィンドウ３０では、取り込みセーブを行うかどうかの選択、ファイル名の設定、解像度の設定、積分時間の補正等の細部設定ができる。但し、ファイル名、解像度、積分時間補正は、設定しなくても自動的に設定されるようになっている。
【００３４】
また、パラメータウィンドウ３０のファイル名表示部２８に表示されるファイル名は、取り込みが選択された場合にだけ表示される。更に、セーブ終了マーク２９は、取り込みセーブが行われたか否かの区別が可能な表示を行う。例えば、中抜き表示と塗りつぶし表示や、赤・青のように色を変えるなどで行う。またトリミングは、取り込みセーブ選択がされる場合に可能であり、インデックス画像に直接マウス等でトリミング枠２６の指示を行う。
【００３５】
次に、図５のフローチャートを参照して、第２の実施の形態の動作を説明する。
パーソナルコンピュータ１１にて画像の取り込みが開始されると、先ずステップＳ４１でパーソナルコンピュータ１１のソフトウエア側のイニシャライズが行われる。次いで、ステップＳ４２で、おおまかな様子がわかる程度の小さい画像、すなわちインデックス画像が全駒取り込まれるコマンドがスキャナ１６側ヘ送信される。以後は、スキャナ１６からの信号を受信するまで、スキャナ１６との関係は切り放される。
【００３６】
スキャナ１６からエラーコードが受信された場合は、ステップＳ４３にてエラー表示が行われる。続いて、ステップＳ４４で終了表示が行われて、本シーケンスを終了する。
【００３７】
インデックス画像が受信された場合は、ステップＳ４５でインデックス表示が行われる。そして、図４にて説明したように、インデックス画像表示ウィンドウ２２′を活用して、ステップＳ４６でパラメータの設定が行われる。設定が完了すると、ステップＳ４７に於いてスタート指示の有無が判定される。ここで、スタート指示がなければ上記ステップＳ４６へ戻り、指示が有れば、ステップＳ４８に移行して、スタートコマンドとパラメータ情報がパーソナルコンピュータ１１からスキャナ１６に送信される。
【００３８】
また、インデックス画像の再画像が受信された場合は、ステップＳ４９にて、インデックス画像が再表示されると共にセーブ終了表示が行われる。
一方、スキャナ１６側は、ステップＳ５１でパーソナルコンピュータ１１からのコマンドが受信されるとシーケンスが開始される。次いで、ステップＳ５２にて、スキャナ１６側のイニシャライズが行われ、ステップＳ５３に於いてＩＸ２４０タイプのフィルムの有無が判定される。
【００３９】
ここで、フィルムが無い場合はステップＳ５５に移行して、エラーコードがパーソナルコンピュータ１１側に送信された後、本シーケンスを終了する。一方、上記ステップＳ５３にてフィルムが有ると判定された場合は、ステップＳ５４に移行してインデックス画像の取り込みが行われ、画像がパーソナルコンピュータ１１のみに転送される。
【００４０】
パーソナルコンピュータ１１より本スキャンの取り込みコマンドとパラメータコマンドが受信されると、ステップＳ５６にて、次の本スキャンのシーケンスが開始される。次いで、ステップＳ５７で画像読取り条件を取り込む駒に設定される。例えば、フィルムの駒出し、トリミング位置合わせ、解像度、積分時間の設定等がある。
【００４１】
次に、ステップＳ５８で画像の取り込みが行われ、更にステップＳ５９で読取られた画像からインデックス画像が作成されてパーソナルコンピュータ１１に再度送信される。パーソナルコンピュータ１１側では、ステップＳ４９でインデックス画像が再表示され、その後セーブ終了マーク２９による終了表示が行われる。
【００４２】
ステップＳ６０では、読取られた画像と自動的またはユーザによって付加されたファイル名が送り先の媒体に送信されて格納される。次いで、ステップＳ６１に於いて、取り込み指示された全駒について、取り込み終了か否かの判定が行われる。
【００４３】
ここで、全て終了でない場合はステップＳ６２に移行して、フィルムが次の駒まで送られた後、上記ステップＳ５７へ戻る。一方、全て終了の場合は、ステップＳ６３に移行してフイルムが巻戻される。続いて、ステップＳ６４で終了コマンドがパーソナルコンピュータ１１に送信されてシーケンスが終了する。
【００４４】
以上のように、ＩＥＥＥ１３９４規格のような双方向のシリアルバス接続を活用し、インデックス画像を活用して必要な画像のみを必要な条件でパーソナルコンピュータに負荷を少なくした状態で、自動的に、且つ取り込み状態がわかるように取り込むことが容易に可能になる。
【００４５】
図６は、この発明の第３の実施の形態による画像読取りシステムの動作を説明するフローチャートである。尚、画像読取りシステムの構成は、上述した第１の実施の形態と同じであるので説明は省略する。
【００４６】
この第３の実施の形態では、インデックス画像を最初こ送信し、その後全画像を自動的に取り込んで、本スキャンの時こは再度本スキャンをすることなく格納されたディスクから画像情報を読出す例を示す。上述した第１の実施の形態との相違は、最初にインデックス表示を行いその後に本スキャンを行うところである。
【００４７】
尚、画像をスキャナから最初こ格納する場所として、ＤＶＤ−ＲＡＭを用いて説明する。
パーソナルコンピュータ１１にて画像の取り込みが開始されると、ステップＳ７１でスタート操作にてスキャナ１６ヘ条件情報と制御コマンドが送信される。次いで、ステップＳ７２では、スキャナ１６からの信号を割込みで受信待機状態とされる。
【００４８】
そして、ステップＳ７３でスキャナ１６からのインデックス信号が受信され、ステップＳ７４でインデックス画像が表示される。続いて、ステップＳ７５にて終了コマンドまたは画像選択・本スキャンコマンドの待ち状態こなる。この状態で、スキャナ１６では自動的に本スキャンが開始され、得られた画像がＤＶＤ−ＲＡＭ１５に格納されていく。
【００４９】
ここで、ステップＳ７６に於いて、ユーザから終了コマンドが入力されたか否かが判定される。入力されたコマンドが終了コマンドの場合は本シーケンス終了する。一方、終了コマンドでない場合は、続いてステップＳ７７にて取り込み指示か否かが判定される。
【００５０】
このステップＳ７７にて、画像指示後の取り込みコマンドでない場合は上記ステップＳ７５へ戻り、画像指示後の取り込みコマンドの場合は、ステップＳ７８に移行してＤＶＤ−ＲＡＭに指示された画像データが存在するか否かの確認が行われる。ここで、ＤＶＤ−ＲＡＭに画像が存在しない場合は、ステップＳ７９に移行してデータ待ちの警告表示が行われ、その後上記ステップＳ７５へ戻る。
【００５１】
一方、上記ステップＳ７８にて、ＤＶＤ−ＲＡＭに画像が存在する場合は、ステップＳ８０に移行してＤＶＤ−ＲＡＭよりデータが読込まれる。そして、ステップＳ８１で読込まれた画像が表示され、ステップＳ８２で再度ファイル名が変更されての保存等の処理が行われる。その後、上記ステップＳ７５に戻る。
【００５２】
これに対し、スキャナ１６側は、ステップＳ９１にてパーソナルコンピュータ１１からスタート操作にて送信された条件情報と制御コマンドが受信されたか否かが判定される。上記コマンド等が受信されると、ステップＳ９２へ移行して、スキャナ１６側のイニシャライズが行われ、続くステップＳ９３でインデックス画像の入力が行われる。
【００５３】
次いで、ステップＳ９４にて、入力されたインデックス画像がサムネイル画像としてスキャナ１６からパーソナルコンピュータ１１へ送信される。パーソナルコンピュータ１１側では、上述したようにインデックス信号を受信するとインデックス画像が表示される。
【００５４】
次に、ステップＳ９５にて本スキャン用の画像が入力され、ステップＳ９６で入力された画像のデータがＤＶＤ−ＲＡＭ１５に記録される。ここで、ステップＳ９７に於いて、全駒取り込み終了か否かの判定が行われる。
【００５５】
このステップＳ９７にて、まだ全ての駒が終了していない場合は、ステップＳ９８に移行してフィルムが１駒送られた後、上記ステップＳ９５へ戻る。一方、上記ステップＳ９７で全ての駒が終了したと判定された場合は、ステップＳ９９に移行してフィルムが巻戻された後、本シーケンスを終了する。
【００５６】
このように、第３の実施の形態によれば、双方向のシリアルバス、例えばＩＥＥＥ１３９４規格のようなバスを活用し、フィルムスキャナはパーソナルコンピュータに依存しない形態で独立制御される中で、フィルム画像は自動的に取り込んで格納し、インデックス画像からの選択に応じて格納先からファイルを読ことで、パーソナルコンピュータに負担をかけることなく、またユーザに時間的な負担をかけることなく簡単に高画質の画像を提供することができる。
【００５７】
更に、第３の実施の形態ではインデックス画像を表示するだけであったが、初期のインデックス画像と本スキャン終了のインデックス画像が異なるように、例えば画像の枠の色を変える等の表示をすることで、本スキャンの状況を表示するようにしてもよい。
【００５８】
また、表示されているがまだ本スキャンされていない画像が選択された場合は、優先的に選択された画像を取り込むようにしてもよい。
尚、この発明の上記実施態様によれば、以下の如き構成を得ることができる。
【００５９】
（１）  フィルム画像を読取る画像読取り手段と、
上記読取られた画像情報を記録する記録手段と、
上記読取られた画像の少なくとも一部を表示する表示手段と、
上記画像読取り手段の制御を行う制御手段と、
上記画像読取り手段と記憶手段と制御手段との間を同一信号線で制御信号と画像信号とを混在させて伝達するバス手段と
を具備して成ることを特徴とする画像読取りシステム。
【００６０】
（２）  制御信号と画像信号とを混在させて電送するバス手段と、
上記バス手段にシリアル接続され、画像を読取る画像読取り手段と、
上記バス手段にシリアル接続され、上記画像読取り手段にて読取られた画像情報を記録する記録手段と、
上記バス手段にシリアル接続され、上記画像読取り手段の制御を行う制御手段と、
上記制御手段に接続され、上記画像読取り手段にて読取られた画像情報の少なくとも一部を表示する表示手段と
を具備して成ることを特徴とする画像読取りシステム。
【００６１】
（３）  制御信号と画像信号とを混在させて伝送するバス手段と、
上記バス手段にシリアル接続され、画像を読取る画像読取り手段と、
上記バス手段にシリアル接続され、上記画像読取り手段にて読取られた画像情報を記録する記録手段と、
上記バス手段にシリアル接続され、上記画像読取り手段の制御を行う制御手段と、
上記制御手段に接続され、上記画像読取り手段にて読取られた画像情報の少なくとも一部を表示する表示手段とを具備し、
上記画像読取り手段は、上記記録手段に記録される画像よりも小さい容量の画像を上記制御手段に伝送することを特徴とする画像読取りシステム。
【００６２】
（４）  制御信号と画像情報とを混在させて伝送するバス手段と、
上記バス手段にシリアル接続され、画像を読取る画像読取り手段と、
上記バス手段にシリアル接続され、上記画像読取り手段にて読取られた画像情報を記録する記録手段と、
上記バス手段にシリアル接続され、上記画像読取り手段の制御を行う制御手段と、
上記制御手段に接続され、上記画像読取り手段にて読取られた画像情報の少なくとも一部を表示する表示手段とを具備し、
上記画像読取り手段は、上記記録手段に記録される画像よりも小さい容量の画像を上記表示手段に伝送することを特徴とする画像読取りシステム。
【００６３】
（５）  上記記録手段は、固定ディスク装置、またはリムーバブルディスク装置であることを特徴とする上記（２）若しくは（４）に記載の画像読取りシステム。
【００６４】
（６）  制御信号と画像信号とを混在させて伝送するバス手段と、
上記バス手段にシリアル接続され、画像を読取る画像読取り手段と、
上記バス手段にシリアル接続され、上記画像読取り手段にて読取られた画像情報を記録する記録手段と、
上記バス手段にシリアル接続され、上記画像読取り手段の制御を行うと共に、上記記録手段に記録された画像を読込む制御手段と、
上記制御手段に接続され、上記画像読取り手段にて読取られた画像情報の少なくとも一部を表示する表示手段とを具備し、
上記画像読取り手段は、上記記録手段に記録される画像よりも小さい容量の画像を上記表示手段に表示させ、画像読込み指示に応答して上記記録手段から記録された画像を読込むことを特徴とする画像読取りシステム。
【００６５】
（７）  上記記憶手段は、固定ディスク装置、またはリムーバブルディスク装置であることを特徴とする上記（１）、（２）、（３）、（４）、若しくは（６）に記載の画像読取りシステム。
【００６６】
（８）  上記リムーバブルディスク装置は、ＭＯ（光磁気）ディスク装置、ＰＤ（相変化）ディスク装置、またはＤＶＤ（デジタルビデオディスク）ＲＡＭ装置であることを特徴とする上記（７）に記載の画像読取りシステム。
【００６７】
【発明の効果】
以上のようにこの発明によれば、双方向のシリアルバスを活用し、画像の取り込みがほとんどパーソナルコンピュータに依存しない形で行われながら取り込まれた内容を表示で確認できることで、画像の取り込み時にパーソナルコンピュータの負荷を低減し、且つ取り込まれた画像を確認しながらパーソナルコンピュータの操作性を向上することが可能な画像読取りシステムを提供することができる。
【図面の簡単な説明】
【図１】この発明の画像読取りシステムの第１の実施の形態の構成を示すブロック図である。
【図２】図１のモニタ１２のディスプレイに表示された情報の表示例を示した図である。
【図３】この発明の第１の実施の形態のパーソナルコンピュータ及びスキャナの動作について説明するフローチャートである。
【図４】（ａ）はこの発明の第２の実施の形態によるインデックス画像表示ウィンドウの表示例を示した図、（ｂ）はパラメータサブウィンドウ３０の表示例を示した図である。
【図５】この発明の第２の実施の形態のパーソナルコンピュータ及びスキャナの動作について説明するフローチャートである。
【図６】この発明の第３の実施の形態のパーソナルコンピュータ及びスキャナの動作について説明するフローチャートである。
【符号の説明】
１１  パーソナルコンピュータ（ＰＣ）、
１２  モニタ、
１３  キーボード及びマウス（ポインティングデバイス）、
１４  ハードディスク装置（ＨＤＤ）、
１５  大容量リムーバブルディスク装置（ＤＶＤ（デジタルビデオディスク）−ＲＡＭ）、
１６  スキャナ（フィルムスキャナ）、
１７  バス、
２０  ディスプレイ、
２１  設定ウィンドウ、
２２、２２′  インデックス画像表示ウィンドウ、
２３、２３′  インデックス画像、
２４  ファイル名、
２５  パラメータウィンドウ、
２６  トリミング枠、
２７  パラメータ設定釦、
２８  ファイル名表示部、
２９  セーブ終了マーク、
３０  パラメータサブウィンドウ。
【図１】
0003872886.tif 000002
【図２】
0003872886.tif 000003
【図３】
0003872886.tif 000004
【図４】
0003872886.tif 000005
【図５】
0003872886.tif 000006
【図６】
0003872886.tif 000007